(57)【要約】  【目的】  待機時の消費電力を極力抑えつつ起動開始時の起動制御を正確に行うポータブル・オーディオ装置を提供する。  【構成】  ポータブル・オーディオ装置は、電池ＢＡＴを駆動源とするＤＣ−ＤＣコンバータ１と、その昇圧された出力ＶＤＤで駆動されるマイクロコンピュータ２と、待機時に電池ＢＡＴで動作状態にあるとともに起動開始条件を満たす複数の操作の内の一つが実行されるとＤＣ−ＤＣコンバータ１を駆動状態にするとともにＶＤＤの電力供給スイッチ４をオンにするイネーブル信号ＣＥを出力する起動入力検出回路５と、ＶＤＤで駆動されるとともに起動開始条件を満たす複数の操作（起動要因）の実行にそれぞれ対応して出力がラッチされるラッチ回路を複数有する起動要因判別回路６と、を備え、マイクロコンピュータ２はクロック発振が安定した後に起動要因判別回路６から起動要因を調べてこれに対応する動作制御を行う起動制御手段を備える。【選択図】  図１
2005044462.tif 000002
【特許請求の範囲】
【請求項１】
電池を駆動源とするＤＣ−ＤＣコンバータと、前記ＤＣ−ＤＣコンバータの昇圧された出力で駆動されるマイクロコンピュータと、を少なくとも備えるポータブル・オーディオ装置において、
前記ポータブル・オーディオ装置の待機時に、電池電圧が常時印加されて動作状態にあり、ポータブル・オーディオ装置の起動開始条件を満たす複数の操作の内の一つが実行された場合に、非駆動状態の前記ＤＣ−ＤＣコンバータを駆動状態にするとともにその昇圧された出力を他回路に供給して起動するための電力供給スイッチをオンにするイネーブル信号を出力するラッチ回路を有する起動入力検出回路と、
前記ＤＣ−ＤＣコンバータの昇圧された出力で駆動されるとともに、前記起動開始条件を満たす複数の操作の実行にそれぞれ対応し、出力が前記マイクロコンピュータにおけるクロック発振動作の安定後まで保持されるラッチ回路を複数有する起動要因判別回路と、を備え、
前記マイクロコンピュータは、ポータブル・オーディオ装置の起動開始後のマイクロコンピュータ内のクロック発振が安定した後に、前記起動要因判別回路の各ラッチ回路の出力から、前記実行された起動開始条件を満たす操作を判別して当該操作に対応する動作制御を行う起動制御手段を備えることを特徴とするポータブル・オーディオ装置。
【発明の詳細な説明】
【技術分野】
【０００１】
本発明は、電池を駆動源とするポータブル・オーディオ装置に関し、特に、その起動制御手段に関する。
【背景技術】
【０００２】
一般的に、ポータブルＭＤプレーヤやポータブルカセットプレーヤ等のポータブル・オーディオ装置は、電圧１．２Ｖ程度の電池（充電電池或いは乾電池）一本を駆動源とし、電池電圧を２〜３倍程度に昇圧するＤＣ−ＤＣコンバータと、前記ＤＣ−ＤＣコンバータで昇圧された出力で駆動されるマイクロコンピュータ及び信号処理ＬＳＩ等のその他の回路を備えている。
【０００３】
上記ポータブル・オーディオ装置においては、各回路の低消費電力化を推進して動作時の電池の消費を抑えて長時間駆動を図りつつ、使用していない待機時における電池の無駄な消費を極力抑えることが重要になってくる。
【０００４】
この点、従来の多くのポータブル・オーディオ装置は、待機時でも上記ＤＣ−ＤＣコンバータに電池電圧を常時印加して駆動状態にしておき、その昇圧された出力をマイクロコンピュータ及びその他の回路に供給している状態で、マイクロコンピュータのクロック発振を停止させておき、ポータブル・オーディオ装置の起動開始条件を満たす複数の操作の何れか一つをユーザーが実行したとき、その操作に対応する割り込み入力信号によって前記マイクロコンピュータのクロック発振を開始させて動作状態にするという起動手段が講じられていた。
【０００５】
この起動手段は、待機時であっても昇圧回路であるＤＣ−ＤＣコンバータが動作状態にあって、その昇圧された出力がその他の回路にも供給されて駆動しているため、マイクロコンピュータのクロック発振が停止されているものの待機時の電池の消耗が大きく、しばらく電池を装置にセットしたままにしておくと電力が消耗されて、使おうと思った時に直ぐ使えない事態が起きるという不便な点がある。
【０００６】
そこで、最近では、図３のポータブル・オーディオ装置における起動制御に係る回路構成を表すブロック回路図及び図４のタイミング・チャートに示されるように、待機時にマイクロコンピュータ２や信号処理ＬＳＩ３及び図示されないその他の回路に負荷電流が流れないように、ＤＣ−ＤＣコンバータ１をも非駆動状態にし、且つその昇圧された出力（電源電圧ＶＤＤ）を他の回路に供給するための電力供給スイッチ４をオフにしておく機能を持たせる手段が講じられているものがある。
【０００７】
上記ポータブル・オーディオ装置の場合、当然に前記ＤＣ−ＤＣコンバータ１による昇圧された電源電圧ＶＤＤで駆動されるマイクロコンピュータ２、信号処理ＬＳＩ３及びその他の回路も電源電圧ＶＤＤが供給されず停止しているので、待機時の消費電力は極力抑えられている。
【０００８】
このポータブル・オーディオ装置を待機時から起動開始させるためには、ユーザーによるＰＬＡＹボタンを押す等の起動開始条件を満たす複数の操作（例えば３通りの操作）の内の一つを実行することによって、前記複数の操作にそれぞれ対応するスイッチＳＷ１又はＳＷ２又はＳＷ３の何れかがオンになり、前記ＤＣ−ＤＣコンバータ１をイネーブルにして駆動状態にするとともに電力供給スイッチ４をオンにするイネーブル信号ＣＥを出力するラッチ回路５（この回路だけは待機時でも直接の電池駆動で動作状態にあるが、クロックを持たない回路のため消費電流は電池の消耗にほとんど影響を与えない程度に抑えることができる。）が検出し、そのイネーブル信号ＣＥによってＤＣ−ＤＣコンバータ１が駆動し、その昇圧された出力の電源電圧ＶＤＤを電力供給スイッチ４を通して他の回路へ供給し、これによってマイクロコンピュータ２、信号処理ＬＳＩ３及び他の回路が動作状態になり、マイクロコンピュータ２はどの操作によって起動開始されたのかを各操作に対応する割り込み入力のＩＮ１又はＩＮ２又はＩＮ３の何れがローになっているかで判別し、その結果に対応した動作制御を予め図示されないメモリ装置に記録されたプログラムの処理手順に沿って行うという起動制御手段を備えている。
【０００９】
なお、上述の起動開始条件を満たす操作とは、（イ）本体のＰＬＡＹボタンのキー入力操作、（ロ）リモコンのＰＬＡＹボタンのキー入力操作、（ハ）充電器に本体を装着する操作、（ニ）ＭＤ等の記録媒体が装置本体にセットして装置の蓋或いはドアを閉じる操作等が該当する。
【００１０】
本発明に係るポータブル・オーディオ装置等のポータブル電子機器の低消費電力化と起動制御に関連する公知技術文献については、下記［特許文献１］に記載されている「ポータブル電子機器およびその制御信号処理方法」が強いて挙げられるが、この公知技術はポータブルのパーソナルコンピュータ等を対象にし、キー入力待ち信号によりＣＰＵに入るクロック周波数を落とすという低消費電力化手段を確実に機能させる技術に関するものであって、ポータブル・オーディオ装置の起動制御に直接関連するものではなく、ポータブル・オーディオ装置には適合しない。
【００１１】
【特許文献１】特開平７−１４１２９７号公報
【発明の開示】
【発明が解決しようとする課題】
【００１２】
図３に示されるブロック回路のポータブル・オーディオ装置において、待機時にＤＣ−ＤＣコンバータ１をも非駆動状態にして待機時の低消費電力化を図る手段を適用した場合、図４のタイミング・チャートに示されるように、起動開始条件を満たす操作の一つ（例えばユーザーによるＰＬＡＹボタンＳＷ１をＴ１時間押す操作）が実行されたことによって、ラッチ回路５にLATCH IN信号が入力され、その出力信号LATCH OUT（＝イネーブル信号ＣＥ）が出力されてＤＣ−ＤＣコンバータ１が駆動し、その昇圧された出力（Ｂ点の電源電圧ＶＤＤ）が電力供給スイッチ４を通して各回路に供給され、CPU RST信号がＬからＨになってマイクロコンピュータ２がクロック発振を開始する（ここまではほぼ同時）。そして、クロック発振が安定する時間Ｔ２まで時間待ちをした後、起動開始条件を満たす操作の起動入力に対応するスイッチＳＷ１、ＳＷ２、ＳＷ３等のオン／オフ状態を調べている。
【００１３】
このため、ユーザーによる当該起動開始条件を満たす操作が開始されてからマイクロコンピュータ２が当該実行された操作を判別するまでに時間差が生じる。この時間差が大きいと、例えばユーザーが本体のＰＬＡＹボタンのキー入力操作してボタンを離してしまった後にマイクロコンピュータ２が調べるという状態になる場合があり（図４参照）、どの操作（起動入力）によって起動開始したのかがマイクロコンピュータ側で判別できなくなってしまい、ユーザーの希望の動作を行うことができなくなるという問題がある。逆に待ち時間Ｔ２を短くしてクロック発振が完全に安定しない状態のまま起動入力を調べようとすると不確実な判別となる。
【００１４】
本発明は上記ポータブル・オーディオ装置に用いられる待機時の低消費電力化を極力図る手段を採用した場合に生じる起動制御の不具合に鑑みてなされたものであり、ポータブル・オーディオ装置の正確な起動制御を行うことができる新規な起動制御手段を提供するものである。
【課題を解決するための手段】
【００１５】
本発明は、上記課題を達成するために、電池ＢＡＴを駆動源とするＤＣ−ＤＣコンバータ１と、前記ＤＣ−ＤＣコンバータ１の昇圧された出力ＶＤＤで駆動されるマイクロコンピュータ２と、を少なくとも備えるポータブル・オーディオ装置において、前記ポータブル・オーディオ装置の待機時に、電池電圧が常時印加されて動作状態にあり、ポータブル・オーディオ装置の起動開始条件を満たす複数の操作の内の一つが実行された場合に、非駆動状態の前記ＤＣ−ＤＣコンバータ１を駆動状態にするとともにその昇圧された出力ＶＤＤを他回路に供給して起動するための電力供給スイッチ４をオンにしてポータブル・オーディオ装置の起動を開始するイネーブル信号ＣＥを出力するラッチ回路を有する起動入力検出回路５と、前記ＤＣ−ＤＣコンバータ１の昇圧された出力ＶＤＤで駆動されるとともに、前記起動開始条件を満たす複数の操作の実行にそれぞれ対応し、出力が前記マイクロコンピュータにおけるクロック発振動作の安定後まで保持されるラッチ回路を複数有する起動要因判別回路６と、を備え、前記マイクロコンピュータ２は、ポータブル・オーディオ装置の起動開始後のマイクロコンピュータ２内のクロック発振が安定した後に、前記起動要因判別回路６の各ラッチ回路の出力から、前記実行された起動開始条件を満たす操作を判別して当該操作に対応する動作制御を行う起動制御手段を備えることを特徴とするポータブル・オーディオ装置を提供する。
【発明の効果】
【００１６】
本発明に係るポータブル・オーディオ装置は、待機時にＤＣ−ＤＣコンバータを非駆動状態にして待機時の電池の消費電力を極力低減するとともに、起動開始直後に起動要因判定回路で起動要因をラッチするので、起動開始条件を満たす複数の操作の内、ユーザーが実行した操作（起動要因）をマイクロコンピュータがクロック発振の安定後に起動要因判定回路のラッチ出力を調べて判別することができ、正しい起動制御が実現できる。
【発明を実施するための最良の形態】
【００１７】
本発明に係るポータブル・オーディオ装置の最良の形態について図面に基づいて説明する。
【００１８】
図１は本発明のポータブル・オーディオ装置における起動制御に係る回路構成を表すブロック回路図であり、図２はその起動開始時のタイミング・チャートである。
【００１９】
本発明のポータブル・オーディオ装置は図１に示されるように、電池ＢＡＴを駆動源とするＤＣ−ＤＣコンバータ１と、前記ＤＣ−ＤＣコンバータ１の昇圧された出力ＶＤＤで駆動されるマイクロコンピュータ２と、信号処理ＬＳＩ３等を有しており、待機時に、前記電池ＢＡＴの電池電圧（１．２Ｖ程度）が常時印加されて動作状態にあり、ポータブル・オーディオ装置の起動開始条件を満たす複数の操作の内の一つが実行された場合に、非駆動状態の前記ＤＣ−ＤＣコンバータ１を駆動状態にするとともにその昇圧された出力ＶＤＤ（２．５Ｖ程度）を他回路に供給して起動するための電力供給スイッチ４をオンにしてポータブル・オーディオ装置の起動を開始するイネーブル信号ＣＥを出力するラッチ回路を有する起動入力検出回路５と、前記ＤＣ−ＤＣコンバータ１の昇圧された出力ＶＤＤで駆動されるとともに前記起動開始条件を満たす複数の操作の実行にそれぞれ対応してスイッチがオンとなるＳＷ１、ＳＷ２、ＳＷ３のオンによって前記マイクロコンピュータ２におけるクロック発振動作の安定後まで保持（ラッチ）されるラッチ回路を複数有する起動要因判別回路６と、を備える構成である。
【００２０】
前記マイクロコンピュータ２は、ポータブル・オーディオ装置の起動開始後でマイクロコンピュータ２内のクロック発振が安定した後に、前記起動要因判別回路６の各ラッチ回路の出力からユーザーによって実行された起動開始条件を満たす操作がどれであるかを判別して、当該操作に対応する動作制御を図示されないＲＯＭ等のメモリ装置に予め書き込まれたプログラムの実行で行う起動制御手段を備える。一旦、ユーザーがどの起動開始条件を満たす操作を実行したかがマイクロコンピュータ２側でクロック発振の安定後に正しく判別されれば、以後はその操作に対応する通常の動作制御が行われるのである。
【００２１】
図２の起動開始時のタイミング・チャートで見ると、例えば、ユーザーによるＰＬＡＹボタンを押す等の起動開始条件を満たす複数の操作の内の一つを実行する起動入力（ＳＷ１のオンによるLATCH INのＬ信号入力）が起動入力検出回路５に入力されると、ＤＣ−ＤＣコンバータ１を起動させるイネーブル信号ＣＥを出力し（LATCH OUTがＬからＨとなる。）、Ｂ点のＤＣ−ＤＣコンバータ１によって略電池電圧から約２．５Ｖに昇圧された出力（電源電圧ＶＤＤ）を供給してマイクロコンピュータ２その他の回路を駆動させるとともに、起動要因判別回路６を併せて動作状態にし、Ｃ点の電圧が設定値以上になるとＣＰＵリセット信号CPU RSTがＬからＨになり、マイクロコンピュータのクロック発振が開始されるが、マイクロコンピュータ２の前記クロック発振が安定する前でもユーザーがＰＬＡＹボタンを離す前（Ｔ１の間）に当該起動入力があったことが起動要因判別回路６のラッチ回路に入力されてその出力がラッチされるようになっている。ここまでのタイミングはほぼ同時であり、これによりマイクロコンピュータ２は、クロック発振が安定する待ち時間Ｔ２後にどの起動入力がラッチされているかを起動要因判別回路６で調べて起動要因を判定し、それに対応した動作を行うことが確実にできるようになる。
【００２２】
結果として、マイクロコンピュータ２は、ユーザーの起動開始条件を満たす一つの操作から入力を調べるまでの時間Ｔ２を気にすることなく正しく起動要因を判別できるので、ユーザーの希望の動作を行うことができないという不具合の発生を防止することができる。
【図面の簡単な説明】
【００２３】
【図１】本発明のポータブル・オーディオ装置における起動制御に係る回路構成を表すブロック回路図である。
【図２】上記回路の起動開始時のタイミング・チャートである。
【図３】従来のポータブル・オーディオ装置における起動制御に係る回路構成を表すブロック回路図である。
【図４】上記従来回路の起動開始時のタイミング・チャートである。
【符号の説明】
【００２４】
１    ＤＣ−ＤＣコンバータ
２    マイクロコンピュータ
３    信号処理ＬＳＩ
４    電力供給スイッチ
５    起動入力検出回路（ラッチ回路）
６    起動要因判定回路
ＳＷ１、ＳＷ２、ＳＷ３    起動開始条件を満たす操作に対応するスイッチ
ＢＡＴ    電池
ＶＤＤ  昇圧された出力（電源電圧）
Ｔ１    ユーザーがＰＬＡＹボタンを押して離すまでの時間
Ｔ２    マイクロコンピュータのクロック発振開始後安定するまでの待ち時間
【図１】
2005044462.tif 000003
【図２】
2005044462.tif 000004
【図３】
2005044462.tif 000005
【図４】
2005044462.tif 000006